(57)【要約】      （修正有）【課題】シンク上でまな板が有効に使え、濡れた食器、調理済み食品、焼けた鍋、やかん等を置いておけ、蛇口付近に置いても、湯水が跳ねる心配がなく、邪魔にならない調理受け台を提供する。【解決手段】アルミ製で長方形の穴あきパンチングメタル５の周辺をアルミ製の枠４に固定した伸縮部を、伸縮部の枠よりも断面サイズのやや大きな枠２を有する本体上に設け、伸縮部を本体に対してスムースに移動できるようにする。【選択図】図１
0003201939.tif 000002
【実用新案登録請求の範囲】
【請求項１】
キッチンの大小シンク上でまな板を使用して、調理ができるようにするためと、洗いの済んだ食品類、及び  食器類の受け台、及び熱せられたやかんや鍋の置き台であり、長さ調節が自在の物もあるパンチング状に穴あけされたアルミ製の調理用まな板受け台であって、同時に角型のゴミ入れを差し掛けられるようになっているもの。
【考案の詳細な説明】
【技術分野】
【０００１】本発明はアルミ製を構造の主体とした物で、一部プラスチックやゴムなどで滑り止め保護された台所用品及び便利用品に該当する。
【背景技術】
【０００２】シンクの縦型（手前から奥方向）に台を置いて、まな板を横型（手前の間口方に載せる方式のものがあって、他の用途として食器、食料品等を置く台として利用されている。【０００３】主に流し台に連なる調理台が実質、調理するスペースとして活用されていて、まな板もその調理台上に置かれて調理される。【０００４】丸パイプを使用した横方向の伸縮式まな板台（調理受け台）がある。【０００５】生ゴミの処理は排水口のディスポーザーか、隅に置くプラスチック製の三角形ごみ入れ物がある。【０００６】最終処分のゴミ入れは、水分除去の目的で主に水分を除去する網袋が多く使れている。【０００７】流し（シンク）の横幅の寸法（サイズ）には各種違いがある。【０００８】調理する、まな板受け台の脇に、生ゴミ入れ籠を設ける方法は現在ではまだない【０００９】熱源及び電熱等によって焼けた鍋やヤカン等を鍋敷きなどを設置して一定のところに置いている。【００１０】シンク内に洗面器を裏返しに台として、その上にまな板を置いて調理する場合がある。
【考案の開示】
【考案が解決しようとする課題】
【００１１】調理台上では、水勾配があるために、高さ位置の違いでまな板が斜めに設置され、左右の違い（まな板台と調理台）が、まな板を宙ぶらりんにして不安定で、且つ、激しく調理をする時、まな板が動いてしまいやすいために雑巾などを敷いてガタ付きを防ぐ方法が採られている。
また、平らな調理台上であっても、まな板の裏側の多くの面積が設置してために不衛生。【００１２】調理台上でのスペースが大抵狭く、食器や食器台等が置かれ、まな板は食器や食品の隙間を縫って置かれ、調理されている現状がある。【００１３】今ある横方向の調理受け台は、食料品や食器等を置くスペースとしての活用が主であって、まな板で調理するにはストッパーもなく、まな板が滑りやすく、段差もあり使用するに困難。【００１４】縦方向（手前から奥へ）への食料品や食器用の置き台を利用して横方向（手前に）にまな板を設置する場合、激しい調理によってまな板が移動したり、食料品や食器用置き台が調理台上から移動したり、シンクの底に落下したりする事故があり得る。【００１５】隅に置かれることの多い三角隅の生ゴミ入れ物容器は、大きくないシンクでは邪魔であり、不衛生。ディスポーザーは毎回の掃除が大変。【００１６】三角隅の容器に置かれている生ゴミの始末もほって置かれる事が多く、不潔不衛生であり、臭いを発するまで据え置いてしまい易い、しかも素手で扱うには躊躇する。【００１７】流し（シンク）の間口のサイズがいろいろである。【００１８】シンク中で洗面器を裏返してまな板の台とするような手段は芳しくない。
【課題を解決するための手段】
【００１９】シンクの手前に本考案品を横方向（左右水平）に設置することによって、まな板をパンチングメッシュ穴状の台上にそのまま載せる。段差もないので、自然と水平になる。【００２０】いろいろなシンクの幅に適合させるために伸縮式にして、ブレないようにしっかりと固定する。【００２１】調理時に使われていないシンク（流し台）に設置することで、調理台ユットがその分広く使える。【００２２】シンク上の調理受け台上にある、まな板で調理中、右利きの人であれば、右側に上部が開放された取り外し自在の食料品ゴミ入れ物籠を設置する。【００２３】ゴミ入れが不要なら簡単に外しておく事もできるし、左利きの人は左右を反対方向にすれば良い。【００２４】縦方向にも使用できるサイズも作る。【００２５】アルミ製で製作すれば、熱伝導性も低く、温度が上昇している鍋やヤカンもその範囲なら何処でも置ける。
【考案の効果】
【００２６】高さの水平が揃って、尚且つ、まな板の全部が本考案品の台上に設置できるために、自然とガタ付がなくなり、雑巾を敷く必要がなくなる。【００２７】パンチングメッシュ穴状の編み込みの仕組みが多少のクッション性を与え、まな板を程よく安定させ、伸縮角パイプを格子状の編み込み部分よりもやや高めに設置するので、激しい使用でも、本体からまな板が落下する危険性が少ない。【００２８】調理台が有効に使え、まな板を使わない時は本考案品上に、濡れた食器、調理済み食品、焼けた鍋、やかん等を置いておけ、蛇口付近に置いても、パンチング穴状なので湯水が跳ねる心配がなく、また置きっ放しでも邪魔にならない。【００２９】調理スピードが上がり、本体を簡単に外すことも、位置を変えることもできて食器洗浄に支障をきたさない。【００３０】本考案品が調理ユニット床面に接する部分をプラスチックコーナーやゴム製キャップで、シンク上よりの本体の落下が防げ、且つ、ガタつきを防止する。【００３１】食料品カスの容器と袋が、右腕側、或いは左腕側脇に有り、食料品カスなどを包丁にてそのまま放り込めて簡便。
【考案を実施するための最良の形態】
【００３２】横幅の広いシンクに対応するための伸縮式の本考案品と、大体固定されたサイズで決まっている縦側に設置する本考案品の２種類を用意する。【００３３】調理受け台を動かないよう安定させるためと、調理台ユニットを傷つけいようにパイプの２辺にゴムキャップを、或いは、２辺にプラスチックカバーなどを取り付ける。【００３４】伸縮式部材はサイズの異なる長方形のアルミ製コの字パイプを使用し、スムースに出し入れができるものとする。【００３５】まな板がアルミ製パンチングメッシュから外れる落下を防ぐために、周囲のアルミの角パイプをメッシュよりも少し高めにして設ける。【００３６】まな板とメッシュが滑らないように適宜ゴムパッキンを設ける。【００３７】食料品カスの入れ物籠（プラスチックメッシュ製）は食料品カスが入れ易さや本考案品の本体に取り付けし易いように角型とする。【００３８】幅広のシンクの場合、伸縮部を伸ばしたとき振れて歪みやすいので、固定する。
【図面の簡単な説明】
【００３９】
【図１】・上面図、間口６０ｃｍと８０ｃｍ幅のシンクに対応した伸縮図本体
【００４０】・同じくその下面図【００４１】・同じくその横面図【００４２】・同じくその横面の木端図【００４３】
【図２】・伸縮本体から分離してシンクの縦型に設置した場合の本考案品の平面図  （ア）横面図（イ）（ウ）
【００４４】
【図３】・本体に取り付けられる角型のゴミ入れの展開図
【符号の説明】
【００４５】図１
１、  商品本体のアルミ製角型支持材で、まな板を調理中移動させないようにしっかりと
２、  ホールドする。
３、  本体に取り付けてアルミ製コの字型チャンネルでアルミパンチングメタルの部材を左右に自由に移動させる。
４、  前後の本体枠をアルミ製フラットバーで緊結する。
５、  本体とは別のアルミ製コの字型チャンネルで枠を作り本体上を左右に移動する。
６、  アルミ製パンチングメタル【００４６】図２
１、  アルミ製コの字チャンネル枠材
２、  アルミ製パンチングメタル
３、  ゴム、またはプラスチック製コの字型滑り止めコーナー【００４７】図３
１、  格子状角型かご
２、  図２のアルミ製コの字チャンネルへの引っ掛け止め部分
【図１】
0003201939.tif 000003
【図２】
0003201939.tif 000004
【図３】
0003201939.tif 000005
【手続補正書】
【提出日】平成27年7月9日(2015.7.9)
【手続補正１】
【補正対象書類名】実用新案登録請求の範囲
【補正対象項目名】全文
【補正方法】変更
【補正の内容】
【実用新案登録請求の範囲】
【請求項１】
本案の基本形商品（Ａ）として、アルミ製で長方形の穴あきパンチングメタルの周辺を、同じくアルミ製のコの字チャンネルで囲って接着剤で固定した品物を、キッチンシンクの前後の縁辺を利用して奥行き方向に置く事が出来るものと、別に、パンチングメタルの枠よりも断面サイズのやや大きなコの字チャンネルを、（Ａ）の長方形パンチングメタル枠の長辺方向２辺に合わせて、それぞれそのコの字チャンネルをアルミ製角パイプで抱き合わせてビスにて固定し、基本形商品の（Ａ）がスムースに左右に伸縮移動出来るようにサイズに合わせてアルミ製フラットバーで四角型に固定し、幅の違うキッチンシンクであっても左右の縁辺へ渡して置く事が出来る伸縮自在の商品を本体（Ｂ）として、まな板をその上に置いての調理作業が出来るようにし、又更に、上が開いている直方体型の力骨鉄筋や針金で網状に作られたゴミ入れ（Ｃ）や、同じく上が開放された直方体のプラスチック等で作られたゴミいれ（Ｄ）等を本体（Ｂ）に差し掛けられるようにして、基本形の（Ａ）のみや本体（Ｂ）の上に置かれたまな板で調理をしながらそのまま調理済みのゴミを（Ｃ）や（Ｄ）に入れたり、熱せられた鍋などでの掻き回し混錬、或いは食器類や洗った野菜やくだもの、熱いやかん等を置ける事を特徴とした本考案品を提供する。
【手続補正書】
【提出日】平成27年10月21日(2015.10.21)
【手続補正１】
【補正対象書類名】実用新案登録請求の範囲
【補正対象項目名】全文
【補正方法】変更
【補正の内容】
【実用新案登録請求の範囲】
【請求項１】
アルミ製で長方形の穴あきパンチングメタルの周辺をアルミ製の枠に固定した伸縮部を、伸縮部の枠よりも断面サイズノやや大きな枠を有する本体上に設け、伸縮部を本体に対してスムースに移動できるようにすることを特徴とする調理受け台。